(57)【要約】      （修正有）【課題】ドキュメントシュレッダー装置の騒音を低下させる。【解決手段】ドキュメントシュレッダー装置の用紙分離供給部５に破砕処理する廃棄用紙を完全に覆うように防音ボックス２を付加し、その一部に開閉機構１を設け、防音ボックスが閉じられた時は装置全体を完全密閉として騒音を閉じ込め減少させ、且つ用紙供給の為の充分な開口部を確保する。【選択図】図１
2006224078.tif 000002
【特許請求の範囲】
【請求項１】
用紙搬送系と用紙破砕系との速度差で廃棄用紙を細かく引き千切り破砕しその内容を読めなくするドキュメントシュレッダー装置において、ドキュメントシュレッダーには廃棄する用紙を複数枚まとめて格納しそこからドキュメントシュレッダーへ定量の用紙を供給する用紙分離供給部が設けられ、用紙分離供給部を覆い且つ廃棄用紙の補給の為にその一部が開閉可能な扉を持つ防音ボックスを設け、ドキュメントシュレッダー装置の廃棄用紙取込み開口部から漏れる処理騒音を遮断することを特徴とするドキュメントシュレッダー装置の防音ボックス。
【請求項２】
防音ボックスの開閉可能な扉は、ドキュメントシュレッダー装置又は防音ボックス内に設けられた支点を中心に回転できるようにし、開口部を大きくすると共に、開閉をより簡単にしたことを特徴とする請求項１記載のドキュメントシュレッダー装置の防音ボックス。
【請求項３】
防音ボックスの材質が、例えばアクリル材やガラス材のような硬質透明なものであることを特徴とする請求項１又は請求項２記載のドキュメントシュレッダー装置の防音ボックス。
【請求項４】
開閉する扉の一部には施錠機構が設けられ、部外者はそれを開閉できなくし、処理待ち廃棄用紙の内容が外に漏洩しないようにしたことを特徴とする、請求項１又は請求項２又は請求項３記載のドキュメントシュレッダー装置の防音ボックス。
【発明の詳細な説明】
【技術分野】
【０００１】  本発明は用紙を引き千切り破砕し用紙片繊維を長く保ち、再生紙への加工を可能としたドキュメントシュレッダー装置において、多数の廃棄用紙を適当な数量に分離しドキュメントシュレッダー装置本体に供給する為の用紙分離供給装置を備え、無人且つ自動で大量の廃棄用紙を処理できるようにした装置の防音対策に関するものである。
【背景技術】
【０００２】  これまでドキュメントシュレッダー装置において用紙格納部を本体と分離し独立させた提案、又は本体に用紙分離供給装置を備え用紙引き千切り破砕を行うドキュメントシュレッダー装置等の提案は、既に出願番号２００４−２１６５９２や出願番号２００４−２１６５９６で提案されている。
用紙引き千切り破砕は、破砕された用紙の再生化には優れた物であるが、これまで一般的であった用紙裁断方式に比べ破砕時に用紙にかかる張力は大きく、それに伴い騒音も大きくなる為、用紙供給部等の開口部からの騒音の漏れ対策が必要になる。
【発明の開示】
【発明が解決しようとする課題】
【０００３】  ドキュメントシュレッダー装置へ適当な枚数だけ廃棄用紙を分離し供給する為の用紙分離供給部の開口部及びその周辺を完全に防音材・遮音材で覆い塞ぎ、ドキュメントシュレッダー装置本体の破砕時に発生する騒音の漏れを防止し、装置全体の低騒音化を図る。
【課題を解決するための手段】
【０００４】  用紙分離供給部に廃棄用紙取込みの為の開口部及びその周辺を完全に覆い塞ぎ、騒音を装置内に閉じ込め外部に漏らさない為の防音ボックスを付加し、防音ボックスの一部に開閉する扉を設け、外部から廃棄用紙を簡単に供給できるようにする。【０００５】  防音ボックスは用紙破砕処理待ちの書類の内容漏洩防止も兼ね、外部から容易にその内容を読めないよう鍵又はその他手段による施錠機構を設け、関係者以外は防音ボックスの扉を開閉できないようにする。
【発明の効果】
【０００６】  本発明によれば、防音ボックスはドキュメントシュレッダー装置の用紙分離供給部を完全に覆うため、用紙破砕部で発生し用紙分離供給装置の用紙取入れ開口部から漏れてくる紙処理音を完全に封じ込めることが可能となり、騒音は大きく減少する。【０００７】  廃棄用紙を所定の場所に設置する時に必要な防音ボックスの開口部は、水平軸を支点とする扉の跳上げ開閉機構とすることで、用紙供給の際の開口面積は大きくなり作業が容易となり、また扉を閉めた時の密閉度も高くなり騒音は減少する。【０００８】  開閉可動部の扉に施錠機構を付加することにより、破砕処理待ちで用紙供給部に積まれた未処理廃棄用紙の機密保持対策が容易に可能となる。
【発明を実施するための最良の形態】
【０００９】  本発明の特許請求項１に対応する実施の形態について図１を参照し説明する。
ドキュメントシュレッダー装置には用紙分離供給装置５があり、大量に積み重ねられた廃棄用紙４からドキュメントシュレッダー装置が一度に処理できる用紙枚数を廃棄用紙４から分離してドキュメントシュレッダー装置へ供給する。【００１０】  用紙分離供給装置５の用紙供給開口部８及び用紙格納部分を完全に覆い内部からの騒音を遮断するように防音ボックス扉１及び防音ボックス固定板２を設ける。防音ボックス扉１は開閉可能な扉であり、廃棄用紙４を外部から供給する際開口部となり常に密接する防音ボックス固定板２と共に用紙分離供給装置５全体を覆い、ドキュメントシュレッダー装置内で発生し用紙開口部８から外部に漏れる騒音を遮断する。【００１１】  本発明の特許請求項２に対応する実施の形態について図１を参照し説明する。
防音ボックス扉１は、廃棄用紙４の用紙格納の為の開口部確保を容易且つ完全に行う為に、本体又は防音ボックスの一部を支点３とする回転開閉機構とする。【００１２】  本発明の特許請求項３に対応する実施の形態ついて図１を参照し説明する。
用紙分離供給装置５の用紙分離搬ベルト６でまれに用紙詰まりが発生する為、その状態は外部から見えるようにする必要がある。防音ボックス扉１及び防音ボックス固定板２を構成する全部又はその一部は材料を透明にし内部が見えるようにする。【００１３】  本発明の請求項４に対応する実施の形態を図１を参照し説明する。
用紙分離供給装置５の廃棄用紙４は一度に大量に処理される為、その処理時間中に廃棄用紙４が外部から見られたりまたは紛失しないように管理する必要がある。
防音ボックス扉１は一度閉められると施錠機構７によりロックされ開かないようにし、その開錠は鍵又は暗証番号等入力で行われるようにする。
【実施例】
【００１４】  図１（実施例）及び図２を参照し本発明による実施例を説明する。（図２からの引用は両実施例の共通部分である）
用紙分離供給装置５は格納される廃棄用紙４を適当な数量に分離し用紙供給開口部８からドキュメントシュレッダー装置１０に供給するものである。用紙分離供給装置５はドキュメントシュレッダー装置１０と脱着可能であり、ドキュメントシュレッダー装置とは別の場所に設置され、廃棄用紙４がある程度溜るとドキュメントシュレッダー装置に運ばれ設置される。【００１５】  用紙分離供給装置５がドキュメントシュレッダー装置１０に設置されると用紙搬送ベルト６が回転し積み上げられた廃棄用紙４の最下部から用紙をドキュメントシュレッダー装置１０が一度に処理できる枚数だけ分離し、用紙供給開口部８を通じてドキュメントシュレッダー装置へ廃棄用紙を供給する。【００１６】  ドキュメントシュレッダー装置内の破砕刃１２で廃棄用紙の破砕が始まると、その騒音は唯一の開口部である用紙供給開口部８から外部に漏れ出してくる。その他の部分は密閉され且つ内壁には防音材１３が貼り付けられているため騒音は漏れることがない。【００１７】  用紙分離供給装置５には廃棄用紙４を完全に覆い密閉する為の円弧状の防音ボックス固定板２と防音ボックス扉１が設置され、防音ボックス固定板２は用紙分離供給装置５に固定され、また防音ボックス扉１は防音ボックス固定板２の内側を、用紙分離供給装置５の支点３を中心とし、小さい隙間で回転・スライドできるようになっている。【００１８】  防音ボックス扉１が回転し閉じられると、その一部が用紙分離供給装置５に設けられた施錠機構７に入り込み自動的に施錠され、鍵がないと再び扉を開けることが出来なくなる。このことにより処理中の廃棄用紙の機密が守られる。【００１９】  防音ボックス扉１や防音ボックス固定板２は例えば透明・肉厚なアクリル材であり廃棄用紙４の状態が外から見れるようになっていて、また用紙供給開口部８から漏れてくる騒音をよく反射・遮断できるようになっている。防音ボックス扉１が完全に閉じた状態では何処にも隙間は無くなり騒音は防音ボックス内で遮音され減少する。【００２０】  廃棄用紙４が完全に処理され無くなってしまうと、鍵により施錠機構７は開錠され防音ボックス扉１は開かれ大きな開口部となり、所定の位置に再度廃棄用紙を設置できるようになる。【００２１】  図２を参照し別の実施例を説明する。
用紙分離供給装置はドキュメントシュレッダー装置１０の一部として組み込まれている。用紙分離供給装置に廃棄用紙が設置されると用紙搬送ベルト１４が回転し廃棄用紙を適当な枚数に分離し連続的に破砕刃１２まで供給し破砕が行われる。【００２２】  防音ボックス扉９は別の防音ボックス構成部品に取付けられた蝶番による支点１１を中心に回転・開閉できるようになっている。防音ボックス扉９が閉じられた状態では装置は完全に密閉状態となるため、破砕刃１２で発生する騒音は防音ボックス内で遮音され外部に漏れなくなる為低騒音化が実現する。【００２３】  廃棄用紙の補充を行う際には防音ボックス扉９を支点１１中心に回転させ、できた開口部を通して行う。
【図面の簡単な説明】
【図１】本発明による実施例の図である。
【図２】本発明による別の実施例である。
【符号の説明】
１、９      防音ボックス扉
２、        防音ボックス固定板
３、１１    支点
４、        廃棄用紙
５、        用紙分離供給装置
６、        用紙搬送ベルト
７、        施錠機構
８、        用紙供給開口部
１０、      ドキュメントシュレッダー装置
１２、      破砕刃
１３、      防音材
【図１】
2006224078.tif 000003
【図２】
2006224078.tif 000004